(57)【要約】【課題】瓦下地材を用いた瓦屋根の施工を作業性良く行なうとともに、屋根の野地面に対する前記瓦下地材の接着強度を高める。【解決手段】瓦下地材１を屋根の野地面７に敷設し、その瓦載置部２の打抜き部３を打抜いて接着剤注入孔６を形成し、接着剤注出ノズル２２の先端にノズル軸線に対して一方の方向とその反対方向とに傾いた２つの方向に接着剤を注出するＶ状注出口２５を形成した接着剤注出器２０を用いて瓦載置部２の接着剤充填用凹陥部４内に接着剤Ａを充填するとともにその接着剤Ａを瓦載置部２上に溢出させ、その後に瓦載置部２の上に瓦８を載置し、瓦下地材１を凹陥部４内に充填された接着剤Ａにより野地面７に接着固定するとともに、瓦８を瓦載置部２上に溢出した接着剤Ａにより瓦下地材１に接着固定する。【選択図】図１
2006118249.tif 000002
【特許請求の範囲】
【請求項１】
行方向及び列方向に配列する複数の瓦載置部を有し、その各瓦載置部の所定箇所にそれぞれ接着剤の注入孔を形成するための打抜き部が設けられ、前記打抜き部が設けられた部分の下側に下面に開放する接着剤充填用凹陥部が設けられた瓦下地材を用いて瓦屋根を施工する方法であって、
前記瓦下地材を屋根の野地面に敷設する工程と、
前記瓦下地材の瓦載置部の前記打抜き部を打抜いて前記凹陥部内に落とし込み、前記瓦載置部に接着剤注入孔を形成する工程と、
接着剤注出ノズルを備え、前記ノズルの先端に、ノズル軸線に対して一方の方向とその反対方向とに傾いた２つの方向に接着剤を注出するＶ状注出口を形成した接着剤注出器を用い、そのノズルを前記接着剤注入孔から前記凹陥部内に挿入して前記凹陥部内に接着剤を充填するとともにその接着剤を前記瓦載置部上に溢出させる工程と、
前記瓦載置部の上に瓦を載置し、前記瓦下地材を前記凹陥部内に充填された接着剤により前記野地面に接着固定するとともに、前記瓦を前記瓦載置部上に溢出した接着剤により前記瓦下地材に接着固定する工程とからなることを特徴とする瓦屋根施工方法。
【請求項２】
請求項１に記載の瓦屋根施工方法に用いる接着剤注出器であって、
接着剤容器と、この容器の一端に設けられた接着剤注出ノズルとを備え、前記ノズルの先端部の外周面に、ノズル軸線に対して一方の方向とその反対方向とに傾いた２つの傾斜面にそれぞれ沿った２本の切取り溝が設けられていることを特徴とする接着剤注出器。
【請求項３】
接着剤注出ノズルは、先細りのテーパー筒からなっており、このノズルの先端部のノズル軸線方向に間隔をおいた２箇所にそれぞれ、前記ノズル軸線に対して一方の方向とその反対方向とに傾いた２つの傾斜面にそれぞれ沿った２本の切取り溝が設けられていることを特徴とする請求項２に記載の接着剤注出器。
【請求項４】
請求項１に記載の瓦屋根施工方法に用いる接着剤注出器であって、
一端に口部を有し、その口部を取外し可能なキャップにより密閉された接着剤容器と、前記接着剤容器とは別体の筒状部材からなり、先端に前記筒状部材の軸線に対して一方の方向とその反対方向とに傾いた２つの方向に接着剤を注出するＶ状注出口が形成され、基端に前記接着剤容器の口部に取付けられる容器接続部が形成された接着剤注出ノズルとを備えたことを特徴とする接着剤注出器。
【発明の詳細な説明】
【技術分野】
【０００１】
この発明は、瓦下地材を用いて瓦屋根を施工する瓦屋根施工方法及びそれに用いる接着剤注出器に関する。
【背景技術】
【０００２】
瓦屋根の施工方法として、行方向及び列方向に配列する複数の瓦載置部を有する瓦下地材を用いて瓦屋根を施工する方法がある（特許文献１参照）。
【０００３】
図４は前記瓦下地材の一部分の断面図であり、この瓦下地材１は、断熱性及び防水性を有する発泡スチロール等の発泡樹脂材からなっている。
【０００４】
この瓦下地材１は、例えば１０６８ｍｍ×９４８ｍｍの方形状板であり、その上面に、瓦８（図５参照）の形状に対応した曲面を有する複数の瓦載置部２が４行４列に形成され、１枚の瓦下地材１上に１６枚の瓦８を載置できるように構成されている。
【０００５】
そして、前記複数の瓦載置部２の所定箇所にはそれぞれ接着剤の注入孔を形成するための打抜き部３が設けられ、前記打抜き部３が設けられた部分の下側に下面に開放する接着剤充填用凹陥部４が設けられている。
【０００６】
図５は前記瓦下地材１を用いて施工された瓦屋根の一部分の断面図であり、この瓦屋根は、屋根の野地面７に複数枚の瓦下地材１を密に並べて敷設して釘により仮止めし、この瓦下地材１の瓦載置部２の打抜き部３を打抜いてその打抜き片３ａを前記凹陥部４内に落とし込むことにより前記瓦載置部２に接着剤注入孔６を形成し、その接着剤注入孔６から前記凹陥部４内に接着剤Ａを充填するとともにその接着剤Ａを前記瓦載置部２上に溢出させ、その後に前記瓦載置部２の上に瓦８を載置し、前記瓦下地材１を前記凹陥部４内に充填された接着剤Ａにより前記野地面７に接着固定するとともに、前記瓦８を前記瓦載置部２上に溢出した接着剤Ａにより前記瓦下地材に接着固定する方法で施工されている。
【０００７】
この瓦屋根施工方法において、前記瓦下地材１の瓦載置部２の打抜き部３を打抜いて形成された接着剤注入孔６からの前記凹陥部４内への接着剤Ａの充填は、図６に示した接着剤注出器１０を用いて行なわれている。
【０００８】
この接着剤注出器１０は、胴部に加えられる掴み力により内側に弾性変形する筒状の接着剤容器１１の一端に接着剤注出ノズル１２を設けたものであり、前記ノズル１２の先端部をノズル軸線に対して一方の方向に傾いた傾斜面に沿って切落とし、前記容器１１の接着剤の注出口１３を形成して使用されている。
【０００９】
そして、前記接着剤注入孔６からの前記凹陥部４内への接着剤Ａの充填は、前記接着剤注出器１０のノズル１２を前記接着剤注入孔６から前記凹陥部４内に挿入し、接着剤容器１１の胴部を強く掴んで内側に弾性変形させることにより、この容器１１内の接着剤Ａを前記ノズル１２の先端の注出口１３から前記凹陥部４内に注入することにより行なわれている。
【特許文献１】特許第３４４５９７８号公報
【発明の開示】
【発明が解決しようとする課題】
【００１０】
しかし、図６のように接着剤注出ノズル１２の先端部をノズル軸線に対して一方の方向に傾いた傾斜面に沿って切落として注出口１３を形成した接着剤注出器１０を用いて瓦下地材１の瓦載置部２の接着剤注入孔６からその下側の凹陥部４内に接着剤Ａを充填する従来の瓦屋根施工方法では、前記接着剤注出ノズル１２の先端の注出口１３から前記凹陥部４内に注入された接着剤Ａが、前記凹陥部４内に落とし込まれた打抜き片３ａに当たってその片側に流れ込む。
【００１１】
そのため、この瓦屋根施工方法は、前記凹陥部４内に接着剤Ａを充満させるのに長い時間がかかり施工作業性が悪くなるという問題と、前記凹陥部４内に注入された接着剤Ａの片流れに起因して前記凹陥部４内に充填された接着剤中に“巣”といわれる空洞ができ、野地面７に対する瓦下地材１の接着強度が低下するという問題とをもっている。
【００１２】
この発明は、瓦下地材を用いた瓦屋根の施工を作業性良く行なうとともに、屋根の野地面に対する前記瓦下地材の接着強度を高めることができる瓦屋根施工方法を提供することを目的としたものである。
【００１３】
また、この発明は、前記この発明の瓦屋根施工方法に好適な接着剤注出器を提供することを目的としたものである。
【課題を解決するための手段】
【００１４】
この発明の瓦屋根施工方法は、行方向及び列方向に配列する複数の瓦載置部を有し、その各瓦載置部の所定箇所にそれぞれ接着剤の注入孔を形成するための打抜き部が設けられ、前記打抜き部が設けられた部分の下側に下面に開放する接着剤充填用凹陥部が設けられた瓦下地材を用いて瓦屋根を施工する方法であって、
前記瓦下地材を屋根の野地面に敷設する工程と、前記瓦下地材の瓦載置部の前記打抜き部を打抜いて前記凹陥部内に落とし込み、前記瓦載置部に接着剤注入孔を形成する工程と、接着剤注出ノズルを備え、前記ノズルの先端に、ノズル軸線に対して一方の方向とその反対方向とに傾いた２つの方向に接着剤を注出するＶ状注出口を形成した接着剤注出器を用い、そのノズルを前記接着剤注入孔から前記凹陥部内に挿入して前記凹陥部内に接着剤を充填するとともにその接着剤を前記瓦載置部上に溢出させる工程と、前記瓦載置部の上に瓦を載置し、前記瓦下地材を前記凹陥部内に充填された接着剤により前記野地面に接着固定するとともに、前記瓦を前記瓦載置部上に溢出した接着剤により前記瓦下地材に接着固定する工程とからなることを特徴とする。
【００１５】
この発明の接着剤注出器は、接着剤容器と、この容器の一端に設けられた接着剤注出ノズルとを備え、前記ノズルの先端部の外周面に、ノズル軸線に対して一方の方向とその反対方向とに傾いた２つの傾斜面にそれぞれ沿った２本の切取り溝が設けられていることを特徴とする。
【００１６】
この接着剤注出器においては、前記接着剤注出ノズルを先細りのテーパー筒とし、このノズルの先端部のノズル軸線方向に間隔をおいた２箇所にそれぞれ、前記ノズル軸線に対して一方の方向とその反対方向とに傾いた２つの傾斜面にそれぞれ沿った２本の切取り溝を設けるのが好ましい。
【００１７】
また、この発明の他の接着剤注出器は、一端に口部を有し、その口部を取外し可能なキャップにより密閉された接着剤容器と、前記接着剤容器とは別体の筒状部材からなり、先端に前記筒状部材の軸線に対して一方の方向とその反対方向とに傾いた２つの方向に接着剤を注出するＶ状注出口が形成され、基端に前記接着剤容器の口部に取付けられる容器接続部が形成された接着剤注出ノズルとを備えたことを特徴とする。
【発明の効果】
【００１８】
この発明の瓦屋根施工方法は、前記瓦下地材の瓦載置部の所定箇所の打抜き部を打抜いてその下側の凹陥部内に落とし込むことにより形成された接着剤注入孔からの前記凹陥部内への接着剤の充填を、接着剤注出ノズルの先端にノズル軸線に対して一方の方向とその反対方向とに傾いた２つの方向に接着剤を注出するＶ状注出口を形成した接着剤注出器を用いて行うものであるため、前記接着剤注出ノズルのＶ状注出口から前記凹陥部内に２方向から接着剤を注入することができ、したがって、前記凹陥部内に前記打抜き部の打抜き片があっても、前記凹陥部内に短時間で、しかも凹陥部内の全域にわたって、“巣”を生じさせること無く接着剤を充満させ、瓦屋根の施工を作業性良く行なうとともに、屋根の野地面に対する前記瓦下地材の接着強度を高めることができる。
【００１９】
この発明の接着剤注出器は、接着剤容器の一端に設けられた接着剤注出ノズルの先端部の外周面に、ノズル軸線に対して一方の方向とその反対方向とに傾いた２つの傾斜面にそれぞれ沿った２本の切取り溝を設けたものであるため、前記ノズルの先端部を前記２本の切取り溝に沿って切落すことによりＶ状注出口を簡単に形成することができ、したがって前記この発明の瓦屋根施工方法に好適である。
【００２０】
この接着剤注出器においては、前記接着剤注出ノズルを先細りのテーパー筒とし、このノズルの先端部のノズル軸線方向に間隔をおいた２箇所にそれぞれ、前記ノズル軸線に対して一方の方向とその反対方向とに傾いた２つの傾斜面にそれぞれ沿った２本の切取り溝を設けるのが好ましく、このようにすることにより、大小２つのＶ状注出口のいずれかを任意に選択して形成することができる。
【００２１】
また、この発明の他の接着剤注出器は、一端に口部を有し、その口部を取外し可能なキャップにより密閉された接着剤容器と、前記接着剤容器とは別体の筒状部材からなり、先端に前記筒状部材の軸線に対して一方の方向とその反対方向とに傾いた２つの方向に接着剤を注出するＶ状注出口が形成され、基端に前記接着剤容器の口部に取付けられる容器接続部が形成された接着剤注出ノズルとを備えたものであるため、前記接着剤容器の口部から前記キャップを取外し、その口部に前記接着剤注出ノズルの基端を取付けるだけで使用することができ、したがって前記この発明の瓦屋根施工方法に好適である。
【発明を実施するための最良の形態】
【００２２】
図１はこの発明の瓦屋根施工方法の一実施例を示す屋根の一部分の断面図であり、（ａ）は屋根の野地面に瓦下地材を敷設した状態、（ｂ）は前記瓦下地材の瓦載置部の所定箇所の打抜き部を打抜いて形成した接着剤注入孔からの接着剤充填状態、（ｃ）は施工終了状態を示している。
【００２３】
この瓦屋根施工方法は、行方向及び列方向に配列する複数の瓦載置部２を有し、その各瓦載置部２の所定箇所にそれぞれ接着剤の注入孔６を形成するための打抜き部３が設けられ、前記打抜き部３が設けられた部分の下側に下面に開放する接着剤充填用凹陥部４が設けられた瓦下地材１を用いて瓦屋根を施工するものである。
【００２４】
前記瓦下地材１は、背景技術の項で説明したように、断熱性及び防水性を有する発泡スチロール等の発泡樹脂材からなる例えば１０６８ｍｍ×９４８ｍｍの方形状板であり、その上面に、図１（ｃ）に示した瓦８の形状に対応した曲面を有する複数の瓦載置部２が４行４列に形成され、１枚の瓦下地材１上に１６枚の瓦８を載置できるように構成されている。
【００２５】
なお、この瓦下地材１の各瓦載置部２の打抜き部３は円形部であり、前記瓦載置部２の上面には、前記打抜き部３を小さい押し力でしかもきれいな円形に打ち向きことができるように、打抜き部３の全周にわたって環状溝５が形成されている。
【００２６】
また、瓦下地材１の各瓦載置部２に設けられた接着剤充填用凹陥部４は、その内奥面、つまり前記打抜き部３の下面から瓦下地材１の下面に向かって内径が大きくなるテーパー状の周面をもった円筒状に形成されており、この凹陥部４の内奥面の径は、前記打抜き部３の径よりも僅かに大きく設定されている。
【００２７】
この瓦屋根施工方法を説明すると、まず、図１（ａ）のように、屋根の野地面７に複数枚の瓦下地材１を密に並べて敷設し、これらの瓦下地材１を釘により前記野地面７に仮止めする。
【００２８】
次に、図１（ｂ）のように、前記瓦下地材１の瓦載置部２の前記打抜き部３を打抜いてその打抜き片３ａを前記凹陥部４内に落とし込むことにより前記瓦載置部２に接着剤注入孔６を形成し、その接着剤注入孔６から前記凹陥部４内に、次のような構成の接着剤注出器２０を用いて接着剤Ａを充填する。
【００２９】
図２は前記接着剤注出器２０の一部分の側面図であり、（ａ）は使用前の状態、（ｂ）は使用時の状態を示している。
【００３０】
この接着剤注出器２０は、胴部に加えられる掴み力により内側に弾性変形する筒状の接着剤容器２１の一端に、この容器２１内に連通する接着剤注出ノズル２２を一体に設けたものであり、前記接着剤容器２１内に接着剤が充填されている。
【００３１】
この接着剤注出器２０の接着剤注出ノズル２２は、図２（ａ）のように、先端が閉塞端された先細りのテーパー筒からなっており、このノズル２２の先端部の外周面のノズル軸線方向に間隔をおいた２箇所にそれぞれ、前記ノズル軸線に対して一方の方向とその反対方向とに傾いた２つの傾斜面にそれぞれ沿った２本の切取り溝２３ａ，２３ｂ及び２４ａ，２４ｂが設けられている。
【００３２】
この接着剤注出器２０は、前記接着剤注出ノズル２２の先端部を前記２本の切取り溝２３ａ，２３ｂ及び２４ａ，２４ｂのいずれかに沿って切落すことにより、ノズル軸線に対して一方の方向とその反対方向とに傾いた２つの方向に接着剤Ａを注出するＶ状注出口２５を形成して使用される。
【００３３】
図２（ｂ）は、前記接着剤注出ノズル２２の先端部を先端から遠い大径部の切取り溝２４ａ，２４ｂに沿って切落した状態を示しており、これにより開口面積の大きいＶ状注出口２５が形成され、ノズル先端部を先端に近い小径部の切取り溝２３ａ，２３ｂに沿って切落すことにより、開口面積の小さいＶ状注出口が形成される。
【００３４】
そして、前記瓦下地材１の瓦載置部２の打抜き部３を打抜いて形成した接着剤注入孔６からの前記凹陥部４内への接着剤Ａの充填は、図１（ｂ）に示したように、前記接着剤注出器２０の接着剤注出ノズル２２を前記接着剤注入孔６から前記凹陥部４内に挿入し、接着剤容器２１の胴部を強く掴んで内側に弾性変形させることにより、この容器２１内の接着剤Ａを前記ノズル２２の先端のＶ状注出口２５から前記凹陥部４内に注入することにより行なう。
【００３５】
なお、前記瓦下地材１の各瓦載置部２の打抜き部３は、この打抜き部３を手または適当な工具で押して打抜いても、前記接着剤注出器２０を利用し、その接着剤注出ノズル２２の先端で打抜き部３を押して打抜いてもよく、接着剤注出器２０を利用して打抜き部３を打抜くことにより、前記打抜き部３の打抜きと接着剤Ａの注入とを連続した作業で行なうことができる。
【００３６】
前記接着剤Ａの注入において、前記接着剤注出器２０は、その接着剤注出ノズル２２の先端にノズル軸線に対して一方の方向とその反対方向とに傾いた２つの方向に接着剤Ａを注出するＶ状注出口２５を形成したものであるため、前記接着剤注出ノズル２２のＶ状注出口２５から前記凹陥部４内に２方向から接着剤Ａを注入することができる。
【００３７】
前記接着剤Ａの注入は、前記凹陥部４内に接着剤Ａが充填されるとともにその接着剤Ａが前記瓦載置部２上の接着剤注入孔６の周囲部分に溢出するまで行ない、その後に、図１（ｃ）のように前記瓦載置部２の上に瓦８を載置し、前記瓦下地材１を前記凹陥部４内に充填された接着剤Ａにより屋根の野地面７に接着固定するとともに、前記瓦８を前記瓦載置部２上に溢出した接着剤Ａにより前記瓦下地材１に接着固定する。
【００３８】
上述したように、この瓦屋根施工方法は、前記瓦下地材１の瓦載置部２の所定箇所の打抜き部３を打抜いてその下側の凹陥部４内に落とし込むことにより形成された接着剤注入孔６からの前記凹陥部４内への接着剤Ａの充填を、接着剤注出ノズル２２の先端にノズル軸線に対して一方の方向とその反対方向とに傾いた２つの方向に接着剤Ａを注出するＶ状注出口２５を形成した接着剤注出器２０を用いて行うものであるため、前記接着剤注出ノズル２２のＶ状注出口２５から前記凹陥部４内に２方向から接着剤Ａを注入することができ、したがって、前記凹陥部４内に前記打抜き部３の打抜き片３ａがあっても、前記凹陥部４内に短時間で、しかも凹陥部４内の全域にわたって、“巣”を生じさせること無く接着剤Ａを充満させることができる。
【００３９】
そのため、この瓦屋根施工方法によれば、瓦屋根の施工を作業性良く行なうとともに、屋根の野地面７に対する前記瓦下地材の接着強度を高めることができる。
【００４０】
また、前記接着剤注出器２０は、接着剤容器２１の一端に設けられた接着剤注出ノズル２２の先端部の外周面に、ノズル軸線に対して一方の方向とその反対方向とに傾いた２つの傾斜面にそれぞれ沿った２本の切取り溝２３ａ，２３ｂ及び２４ａ，２４ｂを設けたものであるため、前記ノズル２２の先端部を前記２本の切取り溝２３ａ，２３ｂまたは２４ａ，２４ｂに沿って切落すことによりＶ状注出口２５を簡単に形成することができ、したがって前記瓦屋根施工方法に好適である。
【００４１】
しかも、前記接着剤注出器２０は、前記接着剤注出ノズル２２を先細りのテーパー筒とし、このノズル２２の先端部のノズル軸線方向に間隔をおいた２箇所にそれぞれ、前記ノズル軸線に対して一方の方向とその反対方向とに傾いた２つの傾斜面にそれぞれ沿った２本の切取り溝２３ａ，２３ｂ及び２４ａ，２４ｂを設けたものであるため、このノズル２２の先端部を前記２本の切取り溝２３ａ，２３ｂ及び２４ａ，２４ｂのいずれかに沿って切落すことにより、大小２つのＶ状注出口２５のいずれかを任意に選択して形成することができる。
【００４２】
なお、上記実施例の接着剤注出器２０は、接着剤容器２１の一端に接着剤注出ノズル２２を一体に設けたものであるが、接着剤注出器は、次のような構成のものでもよい。
【００４３】
図３はこの発明の接着剤注出器の他の実施例を示しており、（ａ）は使用前の状態、（ｂ）は使用時の状態を示している。
【００４４】
この実施例の接着剤注出器３０は、胴部に加えられる掴み力により内側に弾性変形する筒状体からなり、一端に外周にねじ３３が設けられた筒状の口部３２を有し、内部に接着剤を充填され、前記口部３２を取外し可能な螺合型キャップ３４により密閉された接着剤容器３１と、前記接着剤容器とは別体のテーパー筒状部材からなり、先端に前記筒状部材の軸線に対して一方の方向とその反対方向とに傾いた２つの方向に接着剤を注出するＶ状注出口３６が形成され、基端に前記接着剤容器３１の口部３２に螺合させて取付けられる容器接続部３５ａが形成された接着剤注出ノズル３５とを備えたものである。
【００４５】
この接着剤注出器３０は、上記のような構成であるため、前記接着剤容器３１の口部３２から前記キャップ３４を取外し、その口部３２に前記接着剤注出ノズル３５の基端を取付けるだけで使用することができ、したがって前記瓦屋根施工方法に好適である。
【００４６】
しかも、この接着剤注出器３０は、瓦屋根施工の終了時または中断時に接着剤容器３１内に接着剤が残っているときに、前記接着剤容器３１から接着剤注出ノズル３５を取外して接着剤容器３１の口部３２をキャップ３４により密閉することができるため、使い残した接着剤を固まらないように保存して再使用することが可能となる。
【図面の簡単な説明】
【００４７】
【図１】この発明の瓦屋根施工方法の一実施例を示す、瓦下地材敷設、接着剤充填及び施工終了時の断面図。
【図２】この発明の接着剤注出器の一実施例を示す、使用前と使用時の一部分の側面図。
【図３】この発明の接着剤注出器の他の実施例を示す、使用前と使用時の一部分の側面図。
【図４】瓦下地材の一部分の断面図。
【図５】瓦下地材を用いて施工された瓦屋根の一部分の断面図。
【図６】従来の瓦屋根施工方法を示す接着剤充填時の断面図。
【符号の説明】
【００４８】
１…瓦下地材、２…瓦載置部、３…打抜き部、３ａ…打抜き片、４…接着剤充填用凹陥部、６…接着剤注入孔、７…屋根の野地面、８…瓦、２０…接着剤注出器、２１…接着剤容器、２２…接着剤注入ノズル、２３ａ，２３ｂ，２４ａ，２４ｂ…切取り溝、２５…Ｖ状注出口、３０…接着剤注出器、３１…接着剤容器、３２…口部、３３…ねじ、３４…キャップ、３５…接着剤注出ノズル、３６…Ｖ状注出口、Ａ…接着剤。
【図１】
2006118249.tif 000003
【図２】
2006118249.tif 000004
【図３】
2006118249.tif 000005
【図４】
2006118249.tif 000006
【図５】
2006118249.tif 000007
【図６】
2006118249.tif 000008